(57)【要約】【課題】  光伝送システムにおいて、バッテリ等が不要な簡易な構成で、装置間距離の制約を減らしつつ光信号を往復させて電源断を通知できるようにすることを目的としている。【解決手段】  光伝送路を介して局内装置と遠隔装置との間で主信号を含む信号光を双方向に伝送する光伝送システムであって、前記局内装置は、前記主信号より低速な低速信号を含む信号光を前記光伝送路に送信する光送信部と、前記光伝送路からの前記低速信号を含む信号光を受信する光受信部と、を備え、前記遠隔装置は、自装置の電源断時に前記光伝送路からの前記低速信号を含む信号光を折り返して前記光伝送路へ導く光経路を選択する光経路選択部を備えた。【選択図】  図１
2008147849.tif 000002
【特許請求の範囲】
【請求項１】
光伝送路を介して局内装置と遠隔装置との間で主信号を含む信号光を双方向に伝送する光伝送システムであって、
前記局内装置は、前記主信号より低速な低速信号を含む信号光を前記光伝送路に送信する光送信部と、前記光伝送路からの前記低速信号を含む信号光を受信する光受信部と、を備え、
前記遠隔装置は、自装置の電源断時に前記光伝送路からの前記低速信号を含む信号光を折り返して前記光伝送路へ導く光経路を選択する光経路選択部を備えたことを特徴とする光伝送システム。
【請求項２】
前記遠隔装置の前記光経路選択部は、自装置の電源断時に前記光伝送路からの前記低速信号を含む信号光を折り返して前記光伝送路へ導く光経路に切替える光スイッチを含むことを特徴とする請求項１に記載の光伝送システム。
【請求項３】
前記遠隔装置の前記光経路選択部は、自装置の電源断時に前記光伝送路からの前記低速信号を含む信号光を折り返して前記光伝送路へ導く光経路の損失を減少させる可変光減衰器を含むことを特徴とする請求項１に記載の光伝送システム。
【請求項４】
前記局内装置の前記光送信部は、前記主信号に重畳して変調した前記低速信号を含む信号光を前記光伝送路に送信することを特徴とする請求項１に記載の光伝送システム。
【請求項５】
前記局内装置の前記光送信部は、前記局内装置で前記主信号が正常に受信できないとき、前記低速信号を含む信号光を前記光伝送路に送信することを特徴とする請求項１に記載の光伝送システム。
【請求項６】
前記局内装置は、前記光伝送路と前記光受信部との間に可変分散補償器を備え、
前記局内装置の前記光送信部は、前記局内装置で前記可変分散補償器の分散量を変化させても前記主信号が正常に受信できないとき、前記低速信号を含む信号光を前記光伝送路に送信することを特徴とする請求項５に記載の光伝送システム。
【請求項７】
前記局内装置は、前記光受信部で前記低速信号が正常に受信できるように前記可変分散補償器の分散量を変化させることを特徴とする請求項６に記載の光伝送システム。
【請求項８】
前記光伝送路は、一芯の光ファイバを含み、
前記遠隔装置は、前記光経路選択部と前記一芯の光ファイバとの間に、双方向に伝送する信号光を結合するための第１の方向性結合器を備え、
前記局内装置は、前記光送信部および前記光受信部と前記一芯の光ファイバとの間に、双方向に伝送する信号光を結合するための第２の方向性結合器を備えたことを特徴とする請求項１に記載の光伝送システム。
【請求項９】
光伝送路を介して局内装置と遠隔装置との間で主信号を含む信号光を双方向に伝送する光伝送システムの電源断通知方法であって、
前記局内装置において、前記主信号より低速な低速信号を含む信号光を前記光伝送路に送信する光送信ステップと、
前記遠隔装置において、自装置の電源断時に前記光伝送路からの前記低速信号を含む信号光を折り返して前記光伝送路へ導く光経路を選択する光経路選択ステップと、
前記局内装置において、前記光伝送路からの前記低速信号を含む信号光を受信する光受信ステップと、
を備えたことを特徴とする光伝送システムの電源断通知方法。
【発明の詳細な説明】
【技術分野】
【０００１】
この発明は、信号光を伝送する光伝送システムおよびその電源断通知方法に関するものである。
【背景技術】
【０００２】
従来、宅内のメディアコンバータ（メタル回線と光ファイバ回線との中継装置）と局（サービス提供業者）とを光ファイバで結ぶ光伝送システムにおいて、局側にメディアコンバータの電源断を通知するため、メディアコンバータ内のバックアップ電源を使って、局に向かって電源異常信号が送出されるようにしたものが知られている（特許文献１参照）。また、この光伝送システムにおいて、バックアップ電源を使わずに、局側にメディアコンバータの電源断を通知するため、メディアコンバータ内の光スイッチが、入力光結合端から入力される光信号を折り返して出力光結合端から出力する光路を設定し、局から送出した光信号の送信フレームがそのまま折り返されるようにしたものが知られている（特許文献１参照）。
【０００３】
【特許文献１】特開２００３−２２９８２０号公報
【発明の開示】
【発明が解決しようとする課題】
【０００４】
特許文献１に開示された従来の光伝送システムは、バックアップ電源を使ったものでは、バックアップ電源の回路構成が大きくなるという問題点があった。また、光スイッチにより局からの光信号の送信フレームがそのまま折り返されるようにしたものでは、電源断を通知するためには、光信号が両装置間を往復して光ファイバの伝送距離が２倍となるので、装置間距離を本来の伝送性能で可能な片道の伝送距離より短くせざるを得ず、装置間距離が制約されるという問題点があった。
【０００５】
この発明は、上述のような課題を解決するためになされたもので、光伝送システムにおいて、バッテリ等のバックアップ電源が不要な簡易な構成で、装置間距離の制約を減らしつつ信号光を往復させて電源断を通知できるようにすることを目的としている。
【課題を解決するための手段】
【０００６】
この発明に係る光伝送システムは、光伝送路を介して局内装置と遠隔装置との間で主信号を含む信号光を双方向に伝送する光伝送システムであって、前記局内装置は、前記主信号より低速な低速信号を含む信号光を前記光伝送路に送信する光送信部と、前記光伝送路からの前記低速信号を含む信号光を受信する光受信部と、を備え、前記遠隔装置は、自装置の電源断時に前記光伝送路からの前記低速信号を含む信号光を折り返して前記光伝送路へ導く光経路を選択する光経路選択部を備えたものである。
【発明の効果】
【０００７】
この発明は、光伝送システムにおいて、簡易な構成で、装置間距離の制約を減らしつつ信号光を往復させて電源断を通知することができる。
【発明を実施するための最良の形態】
【０００８】
実施の形態１．
この発明の実施の形態１による光伝送システムは、局内装置の光送信部により、主信号より低速な低速信号を含む信号光を、二芯の光ファイバを含む光伝送路に送信し、遠隔装置の光スイッチにより、自装置の電源断時に光伝送路からの低速信号を含む信号光を折り返して光伝送路へ導く光経路を選択し、局内装置の光受信部により、光伝送路からの低速信号を含む信号光を受信するようにしたものである。これにより、伝送特性に優れた低速信号を含む信号光を往復させることにより、バッテリ等が不要な簡易な構成で、装置間距離の制約を減らしつつ電源断を通知することができる。
【０００９】
図１は、この発明の実施の形態１による光伝送システムを示す構成図である。なお、各図において、同一符号は同一または相当部分を示す。図１において、この光伝送システムは、遠隔地に設置された遠隔装置１、通信局舎内に設置された局内装置２、二芯の光ファイバ伝送路３、３ａを備えている。なお、光ファイバ伝送路３が局内装置２から遠隔装置１へ信号光を伝送し、光ファイバ伝送路３ａが遠隔装置１から局内装置２へ信号光を伝送する。
【００１０】
まず、図１において、遠隔装置１は、信号入力部２０から電気信号として入力した主信号で変調した光（例えば１．５５μｍ波長帯）を出力する光送信器（ＴＸ）４を備えている。遠隔装置１は、光ファイバ伝送路３からの受信光を増幅する光増幅器５、光増幅器５で増幅された光に与える波長分散量を変化させることができる可変分散補償器（ＴＤＣ：Ｔｕｎａｂｌｅ  Ｄｉｓｐｅｒｓｉｏｎ  Ｃｏｍｐｅｎｓａｔｏｒ）６、可変分散補償器６の出力光を受信し、変調された主信号を電気信号に変換して信号出力部２１へ出力する光受信器（ＲＸ）７を備えている。遠隔装置１は、電源の供給または非供給に応じて光経路を選択する光経路選択部としての光スイッチ８を備えている。
【００１１】
なお、図１において、遠隔装置１の光スイッチ８は、電源供給時には、光送信器４の出力光を光ファイバ伝送路３ａに導くとともに光ファイバ伝送路３からの受信光を光増幅器５に導くように、実線で示す光経路を選択する。また、光スイッチ８は、電源が供給されない電源断の状態においては、破線で示す光経路を自律的に選択し、光ファイバ伝送路３からの受信光は、折り返されて光ファイバ伝送路３ａへ導かれる。光スイッチ８としては、電源の供給を止めると光経路が自律的に元に戻り、電源供給時とは異なる光経路が選択される「ノンラッチタイプ」のものを適用することができる。
【００１２】
また、図１において、遠隔装置１の光増幅器５は、信号光の強度を増幅するものであり、１．５５μｍ波長帯では、エルビウムドープファイバを用いたものなどが適用可能である。なお、光増幅器５は、伝送路の損失を補償して、光受信器７への入力光強度を高くすることにより、伝送可能距離を拡大する効果があるが、必要に応じて用いれば良く、省略しても良い。
【００１３】
また、図１において、遠隔装置１の可変分散補償器６は、光ファイバ伝送路３の持つ波長分散量に応じて、適切な量の逆符号の波長分散値を与えることで信号の歪みを取り除き、伝送可能距離を拡大する効果があるが、必要に応じて用いれば良く、省略しても良い。
【００１４】
次に、図１において、局内装置２は、信号入力部２０ａから電気信号として入力した主信号で変調した光（例えば１．５５μｍ波長帯）を光ファイバ伝送路３に出力する光送信器（ＴＸ）４ａを備えている。局内装置２は、光ファイバ伝送路３ａからの受信光を増幅する光増幅器５ａ、光増幅器５ａで増幅された光に与える波長分散量を変化させることができる可変分散補償器（ＴＤＣ）６ａ、可変分散補償器６ａの出力光を受信し、変調された主信号を電気信号に復調して信号出力部２１ａへ出力する光受信器（ＲＸ）７ａを備えている。局内装置２は、低速信号を発生する低速信号発生源９、低速信号発生源９の低速信号と折り返された低速信号とを比較する比較器１０を備えている。
【００１５】
なお、図１において、局内装置２の光増幅器５ａ、可変分散補償器６ａは、遠隔装置１の光増幅器５、可変分散補償器６と同様な機能をもつものであり、いずれも必要に応じて用いれば良く、省略しても良い。
【００１６】
また、図１において、局内装置２の低速信号発生源９は、信号入力部２０ａから入力される主信号に比べて低速な電気信号である低速信号を発生させて、光送信器４ａにて低速信号を光に変調する。なお、光送信器４ａと低速信号発生源９とで光送信部を構成する。
【００１７】
また、図１において、局内装置２の光受信器７ａは、主信号と低速信号の両方を復調して電気信号に変換し、周波数の違いによって両信号を分離して、主信号を信号出力部２１ａへ出力し、低速信号を比較器１０へ出力する。なお、光受信器７ａと比較器１０とで光受信部を構成する。
【００１８】
次に動作について説明する。低速信号発生源９で発生する低速信号は、例えば、信号入力部２０ａからの４０Ｇｂ／ｓの主信号に対して、１Ｍｂ／ｓ以下という低速な変調速度とする。これは、ランダムな信号列でも特定の信号列でも良く、あるいは１ＭＨｚ以下の単純な正弦波などでも良い。いずれにしても、変調速度（周波数）を十分に低速としておくことで、主信号の伝送距離の２倍の往復距離を伝送した光から低速信号を復調することが可能となる。これは、フォトダイオードを用いた光受信器の最小受信感度と変調速度には反比例の関係があり、変調速度が低速なほど光受信器７ａの最小受信感度が良くなるためである。
【００１９】
例えば、最大距離４０ｋｍ、最大光ファイバ損失１５ｄＢの区間を４０Ｇｂ／ｓで伝送するシステムであれば、１５ｄＢ×２＝３０ｄＢの損失を受けた往復光を受信することで電源断を検出することになる。変調速度を低くすることで受信器の感度が１５ｄＢ改善される必要があり、電源断検出の往復光は４０Ｇｂ／ｓ÷１０＾（１５ｄＢ／１０）＝１．２Ｇｂ／ｓより低速であれば良い。実際には、もう少し伝送路損失が大きい場合もありえるが、充分に低い１Ｍｂ／ｓとしておけば、問題なく電源断検出が可能である。
【００２０】
従って、例えば、遠隔装置１と局内装置２が主信号の伝送限界に近い距離に配置されている場合でも、遠隔装置１の電源断時に光スイッチ８で折り返されて往復の距離を伝送された光を光受信器７ａで受信して、低速信号を復調することができる。復調した低速信号を比較器１０にて低速信号発生源９の出力信号と比較し、これらの信号列が一致すれば、遠隔装置１で光が折り返されていることが分かる。また、低速信号として単純な正弦波を用いる場合には、低速信号発生源９で発生する周波数と同一の成分だけを抽出するという復調方法をとり、比較器１０では、該当する周波数成分の有無を確認することで、遠隔装置１で光が折り返されていることを知ることもできる。
【００２１】
これにより、局内装置２は、遠隔装置１の光スイッチ８で光が折り返されていることを低速信号で検出することによって、遠隔装置１との間の光ファイバ伝送路３、３ａに異常はなく、遠隔装置１が電源断の状態にあると判断することができる。また、局内装置２は、低速信号が一致しない場合には、伝送路の断線、遠隔装置１の故障など、遠隔装置１の電源断以外の障害が発生していると判断することができる。
【００２２】
以上のように、この発明の実施の形態１による光伝送システムにおいては、伝送可能限界に近い距離で主信号による通信を行っている場合でも、遠隔装置１にバッテリなどの蓄電手段を内蔵することなく、遠隔装置１の電源断を局内装置２側で随時確実に確認することが可能である。
【００２３】
なお、上述の実施の形態１において、低速信号は、主信号が変調された光に対して、主信号の伝送特性劣化が十分小さく無視できるように、数％程度の低い変調度で常時重畳することが望ましい。
【００２４】
また、上述の実施の形態１において、局内装置２で主信号の受信状態が正常な場合には遠隔装置１の電源断を確認する必要が無いため、通常は光送信器４ａが主信号のみを変調しておき、局内装置２で主信号の受信状態が正常でない場合にのみ、光送信器４ａが低速信号を所定の変調度で変調して送信し、遠隔装置１の電源断を確認するようにしても良い。
【００２５】
また、上述の実施の形態１において、局内装置２が可変分散補償器６ａを備えている場合は、主信号の受信特性が最良となるように可変分散補償器６ａが波長分散量を調整する。そして、可変分散補償器６ａが波長分散量を可能な範囲で調整しても局内装置２で主信号が正常に受信できないときに、光送信器４ａが低速信号を変調して送信することで、遠隔装置１が電源断か否かを判断することができる。
【００２６】
また、上述の実施の形態１において、局内装置２が可変分散補償器６ａを備えている場合で、主信号の受信が正常でないときに、低速信号の受信状態が最良となるように可変分散補償器６ａが波長分散量を調整するようにして、局内装置２で低速信号の受信特性を改善する効果を得ることも可能である。
【００２７】
実施の形態２．
この発明の実施の形態２による光伝送システムは、局内装置の光送信部により、主信号より低速な低速信号を含む信号光を、一芯の光ファイバを含む光伝送路に送信し、遠隔装置の光スイッチにより、自装置の電源断時に光伝送路からの低速信号を含む信号光を折り返して光伝送路へ導く光経路を選択し、局内装置の光受信部により、光伝送路からの低速信号を含む信号光を受信するようにしたものである。これにより、伝送特性に優れた低速信号を含む信号光を往復させることにより、バッテリ等が不要な簡易な構成で、装置間距離の制約を減らしつつ電源断を通知することができる。
【００２８】
図２は、この発明の実施の形態２による光伝送システムを示す構成図である。なお、各図において、同一符号は同一または相当部分を示す。図２において、この光伝送システムは、双方向の信号光を伝送する一芯の光ファイバ伝送路３、光ファイバ伝送路３からの光を光スイッチ８の入力端へ導くとともに光スイッチ８からの出力光を光ファイバ伝送路３へ導く方向性結合器１１、光ファイバ伝送路３からの光を光増幅器５ａへ導くとともに光送信器４ａからの出力光を光ファイバ伝送路３へ導く方向性結合器１１ａを備えている。なお、方向性結合器１１、１１ａは、３ポート光サーキュレータを用いて実現することができる。あるいは、光送信器４、４ａから出力される信号光の波長が異なる場合には、方向性結合器１１、１１ａは、波長によって経路が異なるＷＤＭ（Ｗａｖｅｌｅｎｇｔｈ  Ｄｉｖｉｓｉｏｎ  Ｍｕｌｔｉｐｌｅｘｉｎｇ）カプラを用いて実現することも可能である。その他の構成については、図１と同様であり、重複する説明は省略する。
【００２９】
次に、この発明の実施の形態２における動作は、実施の形態１と同様である。これにより、局内装置２は、遠隔装置１の光スイッチ８で光が折り返されていることを低速信号で検出することによって、遠隔装置１との間の光ファイバ伝送路３に異常はなく、遠隔装置１が電源断の状態にあると判断することができる。また、局内装置２は、低速信号が一致しない場合には、伝送路の断線、遠隔装置１の故障など、遠隔装置１の電源断以外の障害が発生していると判断することができる。
【００３０】
以上のように、この発明の実施の形態２による光伝送システムにおいては、実施の形態１と同様に、伝送可能限界に近い距離で主信号による通信を行っている場合でも、遠隔装置１にバッテリなどの蓄電手段を内蔵することなく、遠隔装置１の電源断を局内装置２側で随時確実に確認することが可能である。
【００３１】
実施の形態３．
この発明の実施の形態３による光伝送システムは、局内装置の光送信部により、主信号より低速な低速信号を含む信号光を、二芯の光ファイバを含む光伝送路に送信し、遠隔装置の可変光減衰器により、自装置の電源断時に光伝送路からの低速信号を含む信号光を折り返して光伝送路へ導く光経路を選択し、局内装置の光受信部により、光伝送路からの低速信号を含む信号光を受信するようにしたものである。これにより、伝送特性に優れた低速信号を含む信号光を往復させることにより、バッテリ等が不要な簡易な構成で、装置間距離の制約を減らしつつ電源断を通知することができる。
【００３２】
図３は、この発明の実施の形態３による光伝送システムを示す構成図である。なお、各図において、同一符号は同一または相当部分を示す。図３において、この光伝送システムは、可変光減衰器（ＶＯＡ：Ｖａｌｕａｂｌｅ  Ｏｐｔｉｃａｌ  Ａｔｔｅｎｕａｔｏｒ）１２、光ファイバ伝送路３からの光を光増幅器５へ導くとともに一部を分岐して可変光減衰器１２へも導く光分岐カプラ１３、光送信器４からの出力光と可変光減衰器１２からの出力光を合波して光ファイバ伝送路３ａへ導く光合波カプラ１３ａを備えている。その他の構成については、図１と同様であり、重複する説明は省略する。
【００３３】
また、図３において、光分岐カプラ１３から可変光減衰器１２を経て光合波カプラ１３ａへ至る光経路は、光ファイバ伝送路３からの光を光ファイバ伝送路３ａへ折り返す光経路を構成しており、この実施例における光経路選択手段となっている。可変光減衰器１２は、電源が供給されない場合に損失が最も小さくなる「ブライトスタート」の特性を備えるものを適用する。遠隔装置１に電源が供給されている場合には、常に可変光減衰器１２の損失を大きくして、折り返し経路の光を遮断させておくことで、電源断時にのみ光が折り返されて、遠隔装置１の電源断を局内装置２にて認識することができる。
【００３４】
次に、この発明の実施の形態３における動作は、実施の形態１と同様である。これにより、局内装置２は、遠隔装置１の可変光減衰器１２で光が折り返されていることを低速信号で検出することによって、遠隔装置１との間の光ファイバ伝送路３、３ａに異常はなく、遠隔装置１が電源断の状態にあると判断することができる。また、局内装置２は、低速信号が一致しない場合には、伝送路の断線、遠隔装置１の故障など、遠隔装置１の電源断以外の障害が発生していると判断することができる。
【００３５】
以上のように、この発明の実施の形態３による光伝送システムにおいては、実施の形態１と同様に、伝送可能限界に近い距離で主信号による通信を行っている場合でも、遠隔装置１にバッテリなどの蓄電手段を内蔵することなく、遠隔装置１の電源断を局内装置２側で随時確実に確認することが可能である。
【００３６】
実施の形態４．
この発明の実施の形態４による光伝送システムは、局内装置の光送信部により、主信号より低速な低速信号を含む信号光を、一芯の光ファイバを含む光伝送路に送信し、遠隔装置の可変光減衰器により、自装置の電源断時に光伝送路からの低速信号を含む信号光を折り返して光伝送路へ導く光経路を選択し、局内装置の光受信部により、光伝送路からの低速信号を含む信号光を受信するようにしたものである。これにより、伝送特性に優れた低速信号を含む信号光を往復させることにより、バッテリ等が不要な簡易な構成で、装置間距離の制約を減らしつつ電源断を通知することができる。
【００３７】
図４は、この発明の実施の形態４による光伝送システムを示す構成図である。なお、各図において、同一符号は同一または相当部分を示す。図４において、この光伝送システムは、双方向の信号光を伝送する一芯の光ファイバ伝送路３、光ファイバ伝送路３からの光を光分岐カプラ１３ａの入力端へ導くとともに光合波カプラ１３からの出力光を光ファイバ伝送路３へ導く方向性結合器１１、光ファイバ伝送路３からの光を光増幅器５ａへ導くとともに光送信器４ａからの出力光を光ファイバ伝送路３へ導く方向性結合器１１ａを備えている。なお、方向性結合器１１、１１ａは、３ポート光サーキュレータを用いて実現することができる。あるいは、光送信器４、４ａから出力される信号光の波長が異なる場合には，方向性結合器１１、１１ａは、波長によって経路が異なるＷＤＭカプラを用いて実現することも可能である。その他の構成については、図３と同様であり、重複する説明は省略する。
【００３８】
また、図４において、光分岐カプラ１３から可変光減衰器１２を経て光合波カプラ１３ａへ至る光経路は、光ファイバ伝送路３からの光を光ファイバ伝送路３ａへ折り返す光経路を構成しており、この実施例における光経路選択手段となっている。可変光減衰器１２は、電源が供給されない場合に損失が最も小さくなる「ブライトスタート」の特性を備えるものを適用する。遠隔装置１に電源が供給されている場合には、常に可変光減衰器１２の損失を大きくして、折り返し経路の光を遮断させておくことで、電源断時にのみ光が折り返されて、遠隔装置１の電源断を局内装置２にて認識することができる。
【００３９】
次に、この発明の実施の形態４における動作は、実施の形態３と同様である。これにより、局内装置２は、遠隔装置１の可変光減衰器１２で光が折り返されていることを低速信号で検出することによって、遠隔装置１との間の光ファイバ伝送路３に異常はなく、遠隔装置１が電源断の状態にあると判断することができる。また、局内装置２は、低速信号が一致しない場合には、伝送路の断線、遠隔装置１の故障など、遠隔装置１の電源断以外の障害が発生していると判断することができる。
【００４０】
以上のように、この発明の実施の形態４による光伝送システムにおいては、実施の形態３と同様に、伝送可能限界に近い距離で主信号による通信を行っている場合でも、遠隔装置１にバッテリなどの蓄電手段を内蔵することなく、遠隔装置１の電源断を局内装置２側で随時確実に確認することが可能である。
【００４１】
なお、上述の実施の形態１〜４において、可変分散補償器は、可変分散補償器６、６ａとして、光ファイバ伝送路３、３ａと光受信器７、７ａの間に配置する場合のみを例として挙げているが、光送信器４、４ａと光ファイバ伝送路３、３ａの間に配置しても良く、あるいは両方に配置しても良く、上述の実施の形態１〜４と同様の効果が得られる。
【００４２】
また、上述の実施の形態１〜４において、光増幅器は、光増幅器５、５ａとして、光ファイバ伝送路３、３ａと光受信器７、７ａの間に配置する場合のみを例として挙げているが、光送信器４、４ａと光ファイバ伝送路３、３ａの間に配置しても良く、あるいは両方に配置しても良く、上述の実施の形態１〜４と同様の効果が得られる。
【００４３】
また、上述の実施の形態１〜４において、主信号と低速信号の変調速度（周波数）の一例として、４０Ｇｂ／ｓと１Ｍｂ／ｓ（１ＭＨｚ）以下を挙げているが、これに限られるものではなく、異なる変調速度（周波数）であっても良く、上述の実施の形態１〜４と同様の効果が得られる。
【００４４】
また、上述の実施の形態１〜４において、遠隔装置１と局内装置２の間には、光ファイバ伝送路３、３ａのみが配置されているものを例として挙げているが、光伝送路の構成は、これに限られるものではない。例えば、光ファイバ伝送路の途中の１箇所あるいは複数箇所に光中継器を配置するようにしても良く、要するに、往復することで伝送損失が増えるような光伝送路であれば、上述の実施の形態１〜４と同様の効果が得られる。
【００４５】
また、上述の実施の形態１〜４において、低速信号の変調方法としては、強度変調を用いることができるが、これに限らず、位相変調など他の変調方法でも良く、上述の実施の形態１〜４と同様の効果が得られる。
【００４６】
また、上述の実施の形態１〜４において、遠隔装置１、局内装置２に、複数の異なる波長の光送信器、複数の光受信器を備えて波長多重光伝送システムを構成する場合にも、本発明の範囲内であり、上述の実施の形態１〜４と同様の効果が得られる。このとき、例えば、低速信号は、主信号がそれぞれ変調された波長多重光に重畳するようにしても良いし、また、１つの波長に割当てるようにしても良い。
【図面の簡単な説明】
【００４７】
【図１】この発明の実施の形態１による光伝送システムを示す構成図
【図２】この発明の実施の形態２による光伝送システムを示す構成図
【図３】この発明の実施の形態３による光伝送システムを示す構成図
【図４】この発明の実施の形態４による光伝送システムを示す構成図
【符号の説明】
【００４８】
１  遠隔装置
２  局内装置
３、３ａ  光ファイバ伝送路
４ａ  光送信器
６ａ  可変分散補償器
７ａ  光受信器
８  光スイッチ
９  低速信号発生源
１０  比較器
１１、１１ａ  方向性結合器
１２  可変光減衰器
１３  光分岐カプラ
１３ａ  光合波カプラ
【図１】
2008147849.tif 000003
【図２】
2008147849.tif 000004
【図３】
2008147849.tif 000005
【図４】
2008147849.tif 000006